(57)【要約】【課題】この発明は、印刷進捗度が分かりにくかいという課題を解決しようとするものである。【解決手段】この発明は、印刷装置３〜５がホスト１、２からネットワーク６を介して印刷データを取得して印刷媒体に印刷を行う印刷システムにおいて、ページ番号付き印刷媒体の画像を印刷装置３〜５による印刷のページ数及び部数に応じて表示することにより印刷装置３〜５による印刷の進捗度を表示する表示手段を備えたものである。【選択図】  図１
2004355259.tif 000002
【特許請求の範囲】
【請求項１】
印刷装置がホストからネットワークを介して印刷データを取得して印刷媒体に印刷を行う印刷システムにおいて、ページ番号付き印刷媒体の画像を前記印刷装置による印刷のページ数及び部数に応じて表示することにより前記印刷装置による印刷の進捗度を表示する表示手段を備えたことを特徴とする印刷システム。
【請求項２】
請求項１記載の印刷システムにおいて、前記表示手段を前記印刷装置と前記ホストの両方に設けたことを特徴とする印刷システム。
【請求項３】
請求項１または２記載の印刷システムにおいて、前記印刷装置は製版印刷機を含むことを特徴とする印刷システム。
【請求項４】
請求項１〜３のいずれか１つに記載の印刷システムにおいて、前記印刷装置は製版を行わない印刷装置を含むことを特徴とする印刷システム。
【発明の詳細な説明】
【０００１】
【発明の属する技術分野】
本発明は製版印刷機等の印刷装置がホストからネットワークを介して印刷データを取得して印刷媒体に印刷を行う印刷システムに関する。
【０００２】
【従来の技術】
製版印刷機、プリンタ等の印刷装置が端末のホストからネットワークを介して印刷データを取得して用紙に印刷を行う印刷システムにおいては、印刷装置はホストにて印刷装置ドライバにより送られた印刷データから情報を取得して画像の出力や印刷部数等の表示を行っていた。また、カウンタで印刷部数をカウントして印刷の残部数または既部数を表示し、液晶表示装置（ＬＣＤ）には「印刷中（または製版中）です。」などの表示を行っていた。ホストからの印刷データにより印刷装置で印刷を行う場合には、ホストにおけるデータ処理の進捗度や印刷装置におけるデータ受信の進捗度を表示装置で表示している。
【０００３】
特許文献１には、印刷データから印刷装置による印刷に必要な総用紙量を算出（予測）し、印刷装置の用紙送り量と総用紙量から印刷の進捗度を百分率で求めて表示する印刷システムが記載されている。特許文献２には、印刷装置の印刷すべきページ数と部数、及び印刷装置の印刷済みのページ数と部数を数字と印刷文書の画像で表示する印刷制御装置が記載されている。特許文献３には、ホストが印刷装置から受信した印刷ジョブ毎の印刷進捗状況を表示する印刷システムが記載されている。
【０００４】
【特許文献１】
特開２００１―２４６８１７
【特許文献２】
特開２０００―８９９２３
【特許文献３】
特開２０００―２９６４１
【０００５】
【発明が解決しようとする課題】
上記印刷システムや印刷制御装置では、ホストにおけるデータ処理の進捗度や印刷装置におけるデータ受信の進捗度の表示は一目で把握できず、ホストにおけるデータ処理の進捗度や印刷装置におけるデータ受信の進捗度が分かりにくかった。印刷物が単ページである場合には印刷部数表示のカウンタから印刷の進捗度が分かるが、印刷物が複数ページである場合には現在印刷中のページが何部印刷されたかは分かっても現在印刷中のページが何ページ目であるかは分からなかった。このため、ユーザは、印刷が終了するまで待たされたり、全体の印刷進捗度が分かりにくかった。
【０００６】
本発明は、印刷進捗度を一目で把握することができる印刷システムを提供することを目的とする。
【０００７】
【課題を解決するための手段】
上記目的を達成するため、請求項１に係る発明は、印刷装置がホストからネットワークを介して印刷データを取得して印刷媒体に印刷を行う印刷システムにおいて、ページ番号付き印刷媒体の画像を前記印刷装置による印刷のページ数及び部数に応じて表示することにより前記印刷装置による印刷の進捗度を表示する表示手段を備えたものである。
【０００８】
請求項２に係る発明は、請求項１記載の印刷システムにおいて、前記表示手段を前記印刷装置と前記ホストの両方に設けたものである。
【０００９】
請求項３に係る発明は、請求項１または２記載の印刷システムにおいて、前記印刷装置は製版印刷機を含むものである。
【００１０】
請求項４に係る発明は、請求項１〜３のいずれか１つに記載の印刷システムにおいて、前記印刷装置は製版を行わない印刷装置を含むものである。
【００１１】
【発明の実施の形態】
図１は本発明の一実施形態を示す。この実施形態の印刷システムは、複数のホストとしてのコンピュータ、例えばパーソナルコンピュータ（以下ＰＣという）１、２と、複数の印刷装置３〜５と、ＰＣ１、２及び印刷装置３〜５が接続されたネットワーク６とを有する。ＰＣ１、２は、それぞれ印刷データをネットワーク６を介して印刷装置３〜５のいずれかに選択的に送信する。印刷装置３〜５は、印刷を行う機能を有する製版印刷機や各種プリンタ、デジタル複写機などを含み、例えば製版印刷機３、レーザプリンタ４及びインクジェットプリンタ５が用いられる。
【００１２】
図２は本実施形態の動作フローを示す。ＰＣ（コンピュータ）１、２は、それぞれ、アプリケーションによる印刷命令で印刷装置ドライバが印刷ジョブ毎に所定フォーマットの印刷データを作成し、この印刷データにページ番号情報を順次に付加してネットワーク６を介して印刷装置３〜５のいずれかに選択的に送信する。従って、ＰＣ（コンピュータ）１、２は、それぞれ、印刷データを作成する印刷データ作成手段と、印刷データにページ番号情報を順次に付加するページ番号情報付加手段を有する。
【００１３】
印刷装置３〜５は、それぞれ、ＰＣ１、２から選択的に送信されてきた印刷データを受信し、この印刷データから印刷装置３〜５の図示しない制御部にて総ページ数とページ番号情報を取得する。次いで、各印刷装置３は、図３に示すように、印刷ジョブ毎に印刷した印刷物の印刷部数を計数して表示する印刷部数表示カウンタ７を有し、つまり印刷ジョブ毎に印刷した印刷物の印刷部数を計数する印刷部数計数手段と、印刷ジョブ毎に印刷した印刷物の印刷部数を表示する印刷部数表示手段を有する。
【００１４】
各印刷装置３〜５は印刷の進捗度を表示する印刷進捗度表示手段としての液晶表示装置８を有し、印刷装置３は液晶表示装置８が製版の進捗度を表示する製版進捗度表示手段を兼ねている。この液晶表示装置８には、ユーザが印刷進捗度表示形式として、図４に示すように、印刷ジョブ毎に印刷した印刷物の印刷部数のみを文字で表示する表示形式▲１▼と、印刷ジョブ毎に現在印刷中の印刷物のページ番号のみを文字で表示する表示形式▲２▼と、各印刷ジョブ毎に印刷中の印刷物のページ番号と印刷ジョブの総ページ数を表示する表示形式▲３▼とを選択的に設定する表示形式設定手段としての表示切替ボタン９〜１１が表示され、印刷物のページ番号及び印刷部数を残数（残りの印刷物のページ数及び印刷部数）と既数（現在印刷中の印刷物のページ番号及び印刷した印刷物の印刷部数）のいずれで表示させるかを選択するための表示形式設定手段としての表示切替ボタン１２が表示される。表示形式▲１▼〜▲３▼は表示切替ボタン９〜１１が押されることにより選択設定されて液晶表示装置８に表示され、印刷物のページ番号及び印刷部数の残数表示と既数表示は表示切替ボタン９〜１１が押されることにより選択的に設定される。
【００１５】
表示形式▲３▼は、例えば図３に示すように、「現在  ３（印刷中のページ番号）／１２（印刷ジョブの総ページ数）を印刷中です。」と表示し、かつ、プリンタ４、５では図５に示すように、各印刷ジョブ毎に、ページ番号Ｎを付けた用紙の画像Ｐを印刷のページ数及び部数に応じた数だけ各印刷部数毎に一列にまとめて表示し、製版印刷機３では図６に示すように、各印刷ジョブ毎に、ページ番号Ｎを付けた用紙の画像Ｐを印刷のページ数及び部数に応じた数だけ各ページ番号Ｎ毎（印刷部数毎）に一列にまとめて表示する。ここに、上記制御部は、ページ番号Ｎを印刷部数毎に用紙の画像Ｐに順番に付ける。
【００１６】
上記制御部は、表示切替ボタン９〜１１からの入力信号に基づいて表示切替ボタン９〜１１が押されることにより表示形式▲１▼〜▲３▼をその押された表示切替ボタンに対応して選択して設定し、その設定した表示形式で液晶表示装置８に上述のような表示を行わせる。また、上記制御部は、表示切替ボタン１２からの入力信号に基づいて印刷物のページ番号及び印刷部数の残数表示と既数表示を交互に選択して設定し、印刷物のページ番号及び印刷部数を残数表示と既数表示のうち設定された方で液晶表示装置８に表示させる。
【００１７】
上記制御部は、図２に示すように、印刷データから総ページ数とページ番号情報を取得した後に、ユーザにより設定された印刷進捗度表示形式（進捗表示形式）（表示切替ボタン９〜１１からの入力信号に基づいて表示切替ボタン９〜１１が押されることにより表示形式▲１▼〜▲３▼のうちその押された表示切替ボタンに対応して選択して設定した表示形式）を確認し、表示切替ボタン１２が押されることにより交互に選択して設定した印刷物のページ番号及び印刷部数の残数表示または既数表示を確認する。
【００１８】
製版印刷機３は製版の進捗度を検出する製版進捗度検出手段として、印刷ジョブ毎に製版した原版の数（現在製版中の原版のページ番号）を計数する製版数計数手段を有する。製版印刷機３の上記制御部は、製版印刷機３の製版開始後に製版数計数手段の計数した原版の数（現在製版中の原版のページ番号）を液晶表示装置８に表示させることで製版の進捗度を表示させ、印刷開始後に表示形式▲１▼〜▲３▼のうち上述のように設定した表示形式で印刷の進捗度を表示させる。プリンタ４、５の上記制御部は、印刷開始後に表示形式▲１▼〜▲３▼のうち上述のように設定した表示形式で印刷の進捗度を表示させる。
【００１９】
この場合、上記制御部は、その印刷進捗度表示形式が表示形式▲１▼に設定されていれば印刷部数表示カウンタ７の計数した現在の印刷部数のみを文字で液晶表示装置８に表示させる。印刷装置３〜５は各印刷ジョブの各印刷部数毎に印刷した印刷物のページ番号を計数するページ番号計数手段を有し、上記制御部は印刷進捗度表示形式が表示形式▲２▼に設定されていればページ番号計数手段の計数したページ番号のみを文字で液晶表示装置８に表示させる。
【００２０】
上記制御部は、印刷進捗度表示形式が表示形式▲３▼に設定されていれば、図３に示すようにページ番号計数手段の計数した現在印刷中のページ番号／印刷ジョブの総ページ数（上記の印刷データから取得した総ページ数）を液晶表示装置８に表示させる。さらに、プリンタ４、５の上記制御部は、図５に示すように、各印刷ジョブ毎に、ページ番号Ｎを付けた用紙の画像Ｐをページ番号計数手段の計数した現在印刷中の印刷物のページ番号及び印刷部数表示カウンタ７の計数した印刷部数に応じた数だけ各印刷部数毎に一列にまとめて液晶表示装置８に表示させ、製版印刷機３の上記制御部は図６に示すように、各印刷ジョブ毎に、ページ番号Ｎを付けた用紙の画像Ｐを印刷物のページ番号及び印刷部数に応じた数（印刷した枚数）だけ各ページ番号Ｎ毎に一列にまとめて液晶表示装置８に表示させる。
【００２１】
上記制御部は、表示切替ボタン１２からの入力信号に基づいて印刷物のページ番号及び印刷部数の残数表示と既数表示を交互に選択して設定し、印刷物のページ番号及び印刷部数を残数表示と既数表示のうち表示切替ボタン１２からの入力信号に基づいて設定した方で液晶表示装置８に表示させる。
【００２２】
各印刷装置３〜５は上述のように求めた製版の進捗度の情報と印刷の進捗度の情報をネットワーク６を介してＰＣ１、２のうち印刷データを受信した方のＰＣに送信する。ＰＣ１、２は、印刷装置３〜５からネットワーク６を介して受信した製版の進捗度の情報と印刷の進捗度の情報により、表示手段としてのディスプレイに各印刷装置３〜５毎に製版の進捗度と印刷の進捗度を各印刷装置３〜５と同様に表示する。
【００２３】
この実施形態によれば、ページ番号付き印刷媒体（用紙）の画像を印刷装置３〜５による印刷のページ数及び部数に応じて表示することにより印刷装置３〜５による印刷の進捗度を表示するので、印刷進捗度を一目で把握することができる。
なお、本発明は、上記実施形態に限定されるものではなく、例えば上記実施形態において液晶表示装置８にはページ番号Ｎ付き用紙Ｐの画像として、上記制御部により各印刷部数毎に最初のページ番号付き用紙Ｐの画像と、中略の記号または文字と、現在印刷中のページ番号付き用紙Ｐの画像とを一列に並べて表示するようにしてもよい。
【００２４】
【発明の効果】
以上のように本発明によれば、印刷進捗度を一目で把握することができる。
【図面の簡単な説明】
【図１】本発明の一実施形態を示す結線図である。
【図２】同実施形態の動作フローを示すフローチャートである。
【図３】同実施形態の表示装置を示す平面図である。
【図４】同実施形態の印刷進捗度表示形式を示す図である。
【図５】同実施形態における製販印刷機の印刷進捗度表示例を示す図である。
【図６】同実施形態におけるプリンタの印刷進捗度表示例を示す図である。
【符号の説明】
１、２      ＰＣ
３〜５      印刷装置
６      ネットワーク
８      液晶表示装置
Ｐ      用紙の画像
Ｎ      ページ番号
【図１】
2004355259.tif 000003
【図２】
2004355259.tif 000004
【図３】
2004355259.tif 000005
【図４】
2004355259.tif 000006
【図５】
2004355259.tif 000007
【図６】
2004355259.tif 000008